(57)【要約】      （修正有）【課題】従来のフィルターよりもその寿命を長くし、熱風送風機等の吸入口部位に簡単に装着できる熱風送風機等用フィルターを提供する。【解決手段】一方端面が閉鎖された有底筒体形状の本体部11の周側面に濾材15が配設され、外気が前記濾材15を通過して本体部11内部に流入し、本体部11の他方端面に設けられた流出口13から濾過された外気が流出する熱風送風機の吸入口に装着するフィルターである。閉鎖底部に開口部12を設け、この開口部12から本体部11内部に向かって有底筒体形状の内側筒体20を設ける。この内側筒体20の周側面にも濾材25を配設して、外気がこの内側筒体20の周側面の濾材25と、本体部11周側面の濾材15との両方を通過して本体部11内部に流入する。送風機吸入口に連結固定できる連結部材を、バンド部材等の連結固定手段を介して、本体部11の流出口13側端面部に着脱自在に連結固定できる。【選択図】図２
0003147672.tif 000002
【実用新案登録請求の範囲】
【請求項１】
一方端面部に閉鎖底部を有する有底筒体形状の本体部の周側面に濾材が配設され、外気が前記周側面の濾材を通過して本体部内部に流入し、本体部の他方端面部に設けられた流出口から濾過された外気が流出する熱風送風機等の送風機吸入口に装着するフィルターにおいて、
前記閉鎖底部に開口部(12)を設け、この開口部(12)から本体部(11)内部に向かって有底筒体形状の内側筒体(20)を形成し、この内側筒体(20)の周側面にも濾材(25)を配設して、外気がこの内側筒体(20)の周側面の濾材(25)と、本体部(11)周側面の濾材(15)との両方を通過して本体部(11)内部に流入し得るように構成したことを特徴とする熱風送風機等用フィルター。
【請求項２】
濾材(15, 25)をポリエステル等の合成繊維製織布を本体部(11)及び内側筒体(20)の周方向に蛇腹状に折曲したものから形成したことを特徴とする請求項１に記載の熱風送風機等用フィルター。
【請求項３】
熱風送風機等の送風機吸入口に連結固定できる連結部材(30)を、バンド部材(18)等の環状の連結固定手段を介して、本体部(11)の流出口(13)側端面部に着脱自在に連結固定できるようにしたことを特徴とする請求項１又は２に記載の熱風送風機等用フィルター。
【請求項４】
連結部材(30)が、熱風送風機等の送風機吸入口側に螺着される端面部と、フィルター流出口(13)側端面部の外周縁部(17)と接合する接合部を有する略鍋蓋形状の外形を有していることを特徴とする請求項３に記載の熱風送風機等用フィルター。
【考案の詳細な説明】
【技術分野】
【０００１】
本考案は、熱風発生機（熱風送風機）等の吸入口部位に装着して使用するフィルターの改良に関するものである。
【背景技術】
【０００２】
本願出願人は、長年に渡り熱風発生機を主製品として製造販売して来た者であるが、この熱風発生機というのは、ヒーターと送風機を組み合わせ、高温の熱風を吐出することができる熱風送風機のことである。
この熱風発生機は、産業用として各種物品の乾燥用、水切り用、樹脂製容器のシュリンク包装用等々として、常温から１０００℃までの熱風を要する種々の工場内で使用されて来たものである。
【０００３】
かかる熱風発生機は、上記のような各種の用途に使用されるのであるが、例えば鋳型内の乾燥や、所定の乾燥室や乾燥炉内で各種物品の乾燥を行う際には、熱風を循環させて使用する場合も多く、このような場合には熱風の循環経路内で発生する油分や水分のミスト、粉塵や塵芥等々を除去する必要がある。
更に、工場内の環境においても同様に、油分や水分のミスト、粉塵や塵芥等々あらゆる種類の汚れ、ダスト成分が浮遊しており、これが熱風発生機に与える悪影響も多く、そのメンテナンスや寿命等に大きな影響を及ぼして来た。
【０００４】
そこで、本願出願人は、水切りや包装、更には乾燥される各種物品等の汚染等を排除するため、或いは、熱風発生機のメンテナンス・サイクルの長期化、更にはその寿命の長期化を目的として、熱風発生機の吸入口側に装着する各種フィルターの創案を行ってきたものである。
従来のこの種のフィルターとしては、下記非特許文献に記載のものを挙げることができる。
この文献は本願出願人が発行するカタログであるが、このカタログに記載のものは上記した通り、熱風発生機或いは送風機の吸入口に装着されるものである。
【０００５】
図４がこのフィルターを示しており、その（Ａ）が熱風発生機の吸入口に装着した状態を示す斜視図、その（Ｂ）がフィルターの縦断面図である。
このフィルター５０は、筒体形状の本体部５１からなり、一方の端面部５２は閉鎖され、他方端面部５３に熱風発生機の吸入口に接続される流出口５４が設けられ、上記筒体形状の本体部５１の周側面部にポリエステル繊維製織布からなる濾材５５を周方向に蛇腹状に折曲して配設したものである。
流入エアーは、図中矢印で示す通り、この蛇腹状に折曲された濾材５５を通過して、本体部５１中心部の通路５６から流出口５４へと流れ、その間に濾過されて、熱風発生機６０の吸入口６３からその内部に流入するものである。
【０００６】
このフィルター５０は、流出口５４に取り付けた接続部５８を介して、熱風発生機６０に設備された送風機６１の吸入口６３に連結固定された配管６４と接続固定される。
この熱風発生機６０の吸入口６３に接続する構成は全く自由に設計することができ、図４のようなエルボー型配管６４でなく、直線状の配管を介してフィルターを横位置に設置することも出来る。
【非特許文献１】株式会社竹綱製作所発行「オプションパーツ総合カタログ」（カタログNo. OP）平成２０年〜２１年版２００８年６月発行（第２５頁）
【考案の開示】
【考案が解決しようとする課題】
【０００７】
上記従来のフィルターは、熱風発生機又は送風機等の吸入口に取り付けるための専用のものであり、その全体が１つの完結したものであって、濾材の寿命が尽きると、その全体を交換せねばならない。
勿論、濾材の洗浄等は可能なのであるが、１つのフィルターの寿命は、その濾材の使用が困難となった時点で、その寿命を終えることになる。
【０００８】
そこで、本考案においては、熱風発生機等の吸入口部位に簡単に装着することができ、従来のフィルターの形式と同様のものでその寿命をより長くすることをその課題としている。
また、本考案においては、このフィルターの濾材の洗浄等を容易にするために、より容易に装脱着できる構造を考案することもその課題である。
【課題を解決するための手段】
【０００９】
上記課題を解決するために、本考案の第１のものは、一方端面部に閉鎖底部を有する有底筒体形状の本体部の周側面に濾材が配設され、外気が前記周側面の濾材を通過して本体部内部に流入し、本体部の他方端面部に設けられた流出口から濾過された外気が流出する熱風送風機等の送風機吸入口に装着するフィルターにおいて、前記閉鎖底部に開口部を設け、この開口部から本体部内部に向かって有底筒体形状の内側筒体を形成し、この内側筒体の周側面にも濾材を配設して、外気がこの内側筒体の周側面の濾材と、本体部周側面の濾材との両方を通過して本体部内部に流入し得るように構成したことを特徴とする熱風送風機等用フィルターである。
【００１０】
本考案の第２のものは、上記第１の発明において、濾材をポリエステル等の合成繊維製織布を本体部及び内側筒体部の周方向に蛇腹状に折曲したものから形成したことを特徴とする熱風送風機等用フィルターである。
【００１１】
本考案の第３のものは、上記第１又は第２の発明において、熱風送風機等の送風機吸入口に連結固定できる連結部材を、バンド部材等の環状の連結固定手段を介して、本体部の流出口側端面部に着脱自在に連結固定できるようにしたことを特徴とする熱風送風機等用フィルターである。
【００１２】
本考案の第４のものは、上記第３の発明において、連結部材が、熱風送風機等の送風機吸入口に螺着される端面部と、フィルター流出口側端面部の外周縁部と接合する接合部を有する略鍋蓋形状の外形を有していることを特徴とする熱風送風機等用フィルターである。
【考案の効果】
【００１３】
本考案の第１のものにおいては、有底筒体形状の本体部の周側面に濾材が配設され、外気がこの濾材を通過して本体部内部に流入し、本体部の他方端面部の流出口から濾過された外気が流出するフィルターにおいて、閉鎖された底部に開口部を設け、この開口部から本体部内部に向かって更にもう１つの有底筒体形状の内側筒体を設け、この内側筒体の周側面にも濾材を配設してために、外気がこの内側筒体の周側面の濾材と、本体部周側面の濾材との両方を通過して本体部内部に流入することとなる。
【００１４】
従って、本考案においては、濾材が設けられた面積が２倍とまでは行かないが、内側筒体の周側面に設けられた濾材によっても外気が濾過され、濾材の面積が従来のものと比較して格段に大きくなり、全体の濾材の寿命を格段に延長させることができることとなる。
勿論、同様にフィルターの洗浄時期の間隔を延長させることも可能である。
【００１５】
更に、本考案に係るフィルターは、熱風発生機に設備された送風機の吸入口部位に装着されるのであるが、その熱風発生機自体のメンテナンス期間の延長を図ることができ、また装置自体の寿命をも延長させることが可能となるのである。
尚、本考案に係るフィルターは、上記熱風発生機等の吸入口側でなく、吐出口側に装着することも可能である。
【００１６】
本考案の第２のものにおいては、上記と同様の効果を発揮するものであって、濾材をポリエステル等の合成繊維製織布を使用し、それを本体部及び内側筒体の周方向に蛇腹状に折曲したものに限定したものである。
【００１７】
本考案の第３のものにおいては、熱風送風機等の送風機吸入口に連結固定できる連結部材を用いて、より簡単に環状のバンド部材等を利用して本考案に係るフィルターを装脱着することができる。
これにより、フィルターを容易に取り外して洗浄等することができ、洗浄後は同様に容易に装着することができることとなる。
【００１８】
本考案の第４のものにおいては、その連結部材を略鍋蓋形状に形成して、上記第３の考案と同様の効果を発揮するものである。
【考案を実施するための最良の形態】
【００１９】
以下、添付の図面と共に本考案の実施形態について説明する。
図１は、本考案に係るフィルターの一実施形態を図示しており、その（Ａ）が上方側から見た斜視図、その（Ｂ）が下方側から見た斜視図である。
本考案に係るフィルター１０は、略円筒形形状を有する本体部１１からなり、その本体部１１の一方の端面部（図中上方端面部）に開口部１２が設けられ、他方の端面部（図中下方端面部）にも開口部が設けられ、この下方端面部の開口部が濾過されたエアーの流出口１３となっている。
【００２０】
外気は、上記開口部１０と、本体部１１の周側面に配設された濾材１５から流入し、この濾材１５と、図には明瞭には現れていないが、内側筒体２０の周側面に配設された濾材を通過して、本体部１０内部に流入し、流出口１３から濾過されたエアーが流出するのである。
濾材としては、本実施形態ではポリエステル繊維からなる織布を本体部１０の周方向に蛇腹状に折曲したものを使用している。
フィルター１０の内部構造は、次の図２により説明する。
【００２１】
図２は、上記実施形態のフィルターを示し、その（Ａ）が一部切欠平面図、その（Ｂ）が図２（Ａ）のＳ−Ｓ線断面図である。
これらの図からよく見て取れる通り、開口部１２から内側方向に向かって内側筒体２０が設けられている。
この内側筒体２０も、一方の端面（図中下方端面）が閉鎖されており、他方端面（図中上方端面）に開口部１２が設けられている。
【００２２】
この開口部１２から外気が流入し、内側筒体２０の周側面に設備された濾材２５を通過して本体部１０内部の通路１７を通過して、流出口１３から濾過されたエアーが流出する。
従って、本考案においては、本体部１０の周側面に設備された濾材１５と、内側筒体２０の周側面に設備された濾材２５の両方の濾材によって外気が濾過されることとなり、その濾材の面積を従来のものと比較して格段に大きくすることができた。
【００２３】
濾材１５、２５は、同一の素材を用い、図２（Ａ）の切欠部に示した通り、本体部１０の周方向に蛇腹状に折曲したものを使用している。
また、この実施形態では、本体部１０の図２（Ｂ）における上下方向の長さがそれ程大きくないため、濾材１５、２５を支持する支持フレームは使用していない。
この濾材の上下方向の長さがこれよりも長い場合には、必要に応じて、従来から使用されているようなスパイラル状の金属製線状材を濾材の内側に配設したり、金属製の筒体の外周面に多数の穴部を穿設した補強部材等を濾材の内側に配設したりすることができる。
このような濾材の形を維持する枠体、即ち保形部材は自由に採用することができる。
【００２４】
図３は、本考案の上記実施形態に係るフィルターを熱風発生機に装着する状態を示しており、その（Ａ）がその分解斜視図、その（Ｂ）が分解正面図である。
この図３においては、本考案に係るフィルターを横位置に配置して装着している。
このフィルター１０を装着するに際して、熱風発生機６０に設備されている送風機６１の吸入口６３の部位に螺着できる連結部材３０をここで用いている。
【００２５】
この連結部材３０は、図示したとおり、中央部に貫通孔３１が設けられた略鍋蓋形状を有しており、この貫通孔３１の周囲に設けられた複数の螺子挿通孔３２を介して、送風機６１に設けられている吸入口６３の部位に螺着される。これら複数の螺子挿通孔３２が設けられている面が、熱風送風機の吸入口側に螺着される端面部となる。
【００２６】
連結部材３０の他方の側、つまりフィルター側の端縁部３５は、本考案に係るフィルター１０の本体部１１の端面部の外周縁部１７に蓋を被せるように、適合させることができる。即ち、上記連結部材３０の端縁部３５が、フィルター１０の流出口１３側端面部の外周縁部１７と接合する接合部となる。
【００２７】
その後、バンド部材１８によって、本体部１１の外周縁部１７及び連結部材３０の端縁部３５の両者を固定することができるのである。
上記端縁部３５は、フィルター１０の外周縁部１７を被覆するのではなく、単に当接するように接合し、バンド部材１８によって両者を固定することもできる。
【００２８】
バンド部材１８は、その環状本体部１８ｈが断面コ字形状を有しており、フィルター１０端面の外周縁部１７と連結部材３０の端縁部３５の両者を挟持して、固定レバー１８ｋを時計周りに回動させ、その環状本体部１８ｈ側に沿わせることにより、両者を固定することができるものである。
【００２９】
このバンド部材１８に代えて、単なるクリップ状の固定部材を複数用いて、前記連結部材３０に本考案に係るフィルター１０を連結固定することもでき、この固定手段は各種のものを用いることができる。
しかし、上記円環状のバンド部材１８を用いることにより、熱風発生機６０の吸入口６３の部位に螺着された連結部材３０にワンタッチで本考案に係るフィルター１０を連結固定することが可能となるため、固定手段としては、上記バンド部材１８が最適なものとなる。
【００３０】
以上、実施形態について説明したが、本考案においては以下のように種々設計変更することができる。
略円筒形状を有する本体部の外形形状及びサイズは、必要に応じて種々設計変更することができる。内側筒体のサイズも同様に、本体部の外形形状及びサイズに応じて設計変更可能である。
例えば、本体部の外形形状は、円筒形状ばかりでなく、底面部が略楕円形状或いは多角形形状の筒体形状のものとして実施することも可能である。
その際には、連結部材のフィルター側端部の形状もこれに合致させる必要があり、またバンド部材の形状もこれに適合するものを採用する必要がある。
【００３１】
本体部の周側面及び内側筒体の周側面に配備される濾材も適宜必要に応じて選択することができる。
上記ポリエステル繊維製織布を使用した場合には、粒子径約３ミクロン以上の粉塵等を捕集することができ、洗浄することも可能である。
濾材を蛇腹状に折曲して、その濾材の表面積を大きくしているが、その折曲長さも自由に設計することができる。
【００３２】
フィルターを熱風送風機の吸入口に連結するための連結部材も、中央に貫通孔が設けられた略鍋蓋形状を有したものであって、その貫通孔の周縁部で、前記熱風発生機の吸入口部位に螺着でき、他方の端縁部がフィルターの端面外周縁部と適合しうるものであれば、その他の形態は全く自由である。
この連結部材とフィルターを連結固定するバンド部材も、他の固定手段を採用することができるが、ワンタッチで連結固定するためには、このような円環状のバンド部材が最適となる。
【００３３】
以上、本考案は、これまで全く想到もされなかった、フィルター本体部内部に更に内側筒体を設けて、この内側筒体の周側面にも濾材を設け、いわばフィルターの内部に更にフィルターを配設して、１つのフィルターでより濾過効率がよく、より長い寿命を有し、これにより接続される熱風発生機の寿命やメンテナンス期間の延長を図ることができる極めて画期的なフィルターを提供することができたものである。
【図面の簡単な説明】
【００３４】
【図１】本考案に係るフィルターの一実施形態を図示しており、その（Ａ）が上方側から見た斜視図、その（Ｂ）が下方側から見た斜視図である。
【図２】本考案の上記実施形態に係るフィルターを示し、その（Ａ）が一部切欠平面図、その（Ｂ）が図２（Ａ）のＳ−Ｓ線断面図である。
【図３】本考案の上記実施形態に係るフィルターを熱風発生機に装着する状態を示しており、その（Ａ）がその分解斜視図、その（Ｂ）が分解正面図である。
【図４】従来のフィルターを示しており、その（Ａ）が熱風発生機の吸入口に装着した状態を示す斜視図、その（Ｂ）がフィルターの縦断面図である。
【符号の説明】
【００３５】
１０  フィルター
１１  本体部
１２  開口部
１３  流出口
１５、２５  濾材
１７  外周縁部（フィルターの）
１８  バンド部材
２０  内側筒体
３０  連結部材
３５  端縁部（連結部材の）
【図１】
0003147672.tif 000003
【図２】
0003147672.tif 000004
【図３】
0003147672.tif 000005
【図４】
0003147672.tif 000006